Podtech/llm-jp-corpus-v4-ja_patent huggingface dataset:
【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
イメージ処理方法であって、
（ａ）（ｉ）イメージングのために構成中のページのデータと、（ｉｉ）イメージングを待つ少なくとも１つの構成されたページのデータとをメモリに格納することと、
（ｂ）前記少なくとも１つの構成されたページがイメージングを待つ間、前記イメージングを待つ少なくとも１つの構成されたページのデータに対して実行されるメモリ管理タスクを示す指示を検出することと、
（ｃ）前記指示の検出に応答して、前記構成中のページのデータに対してメモリ管理タスクを実行することと、
を含むことを特徴とするイメージ処理方法。
【請求項２】
前記メモリは、プリンタ、コピー機またはファクシミリ装置を含むイメージング装置に備えられていることを特徴とする請求項１に記載のイメージ処理方法。
【請求項３】
前記メモリ管理タスクが実行される前記メモリ内の前記少なくとも１つの構成されたページのデータは、ラスタパッチ、フォント、パターン、ビデオバンド、モンスターバンドまたはベクトルバンドを有することを特徴とする請求項１または２に記載のイメージ処理方法。
【請求項４】
前記イメージングを待つ少なくとも１つの構成されたページのデータに対して実行される前記メモリ管理タスクは、ビデオイメージングタスクとの衝突回避のためにアトミックオペレーションを用いて実行されることを特徴とする請求項１または２に記載のイメージ処理方法。
【請求項５】
前記イメージングを待つ少なくとも１つの構成されたページのデータに対して実行される前記メモリ管理タスクは、ビデオイメージングタスクとの衝突回避のためにクリティカルセクションロック機構を用いて実行されることを特徴とする請求項１または２に記載のイメージ処理方法。
【請求項６】
前記メモリ管理タスクは、データの圧縮を含むことを特徴とする請求項１、２、３、４または５に記載のイメージ処理方法。
【請求項７】
前記メモリ管理タスクは、データの再配置を含むことを特徴とする請求項１、２、３、４または５に記載のイメージ処理方法。
【請求項８】
前記メモリ管理タスクは、データの圧縮および再配置を含むことを特徴とする請求項１、２、３、４または５に記載のイメージ処理方法。
【請求項９】
メモリ断片化回避技術を用いたデータの圧縮および再配置をさらに含むことを特徴とする請求項８に記載のイメージ処理方法。
【請求項１０】
前記指示の検出に応答して、少なくとも構成中の次のページのデータに対してメモリ管理タスクを実行することを特徴とする請求項１または２に記載のイメージ処理方法。
【請求項１１】
指示も何も検出しておらず、かつある限界に達していることを検出したことに応答して、前記少なくとも構成中の次のページのデータに対しての前記メモリ管理タスクの実行を中止することを特徴とする請求項１０に記載のイメージ処理方法。
【請求項１２】
前記メモリ管理タスクは、いずれの構成されたページのイメージング終了をも待つことなく前記構成中のページのデータに対して実行されることを特徴とする請求項１または２に記載のイメージ処理方法。
【請求項１３】
イメージ処理装置であって、
（ａ）（ｉ）イメージングするために構成中のページのデータと、（ｉｉ）イメージングを待つ少なくとも１つの構成されたページのデータとを有するメモリと接続されて動作するイメージングエンジンと、
（ｂ）前記少なくとも１つの構成されたページがイメージングを待っている間、前記イメージングを待つ少なくとも１つの構成されたページのデータに対して実行されるメモリ管理タスクを示す指示を検出する手段と、
（ｃ）前記指示の検出に応答して前記イメージングするために構成中のページのデータに対してメモリ管理タスクを実行する手段と、
を備えることを特徴とするイメージ処理装置。
【請求項１４】
前記メモリは、プリンタ、コピー機またはファクシミリ装置を含むイメージング装置に備えられていることを特徴とする請求項１３に記載のイメージ処理装置。
【請求項１５】
前記イメージングを待つ少なくとも１つの構成されたページのデータに対して前記メモリ管理タスクを実行する手段であって、ビデオイメージングタスクとの衝突回避のためにアトミックオペレーションを可能にする手段を備える手段をさらに備えることを特徴とする請求項１３または１４に記載のイメージ処理装置。
【請求項１６】
前記イメージングを待つ少なくとも１つの構成されたページのデータに対して前記メモリ管理タスクを実行する手段であって、ビデオイメージングタスクとの衝突回避のためにクリティカルセクションロック機構を備える手段をさらに備えることを特徴とする請求項１３または１４に記載のイメージ処理装置。
【請求項１７】
前記メモリ管理タスクは、データの圧縮を含むことを特徴とする請求項１３、１４、１５または１６に記載のイメージ処理装置。
【請求項１８】
前記メモリ管理タスクは、データの再配置を含むことを特徴とする請求項１３、１４、１５または１６に記載のイメージ処理装置。
【請求項１９】
いずれの構成されたページのイメージング終了をも待つことなく、少なくとも構成中の次のページのデータに対してメモリ管理タスクを実行する手段をさらに備えることを特徴とする請求項１３または１４に記載のイメージ処理装置。
【請求項２０】
前記構成中のページのデータに対してメモリ管理タスクを実行する手段は、いずれの構成されたページのイメージング終了をも待つことなくメモリ管理タスクを実行する手段を備えることを特徴とする請求項１３または１４に記載のイメージ処理装置。
【手続補正書】
【提出日】平成16年11月24日(2004.11.24)
【手続補正１】
【補正対象書類名】明細書
【補正対象項目名】０００４
【補正方法】変更
【補正の内容】
【０００４】
【発明が解決しようとする課題】本発明者等は、上述のような現状に鑑み、従来知られている各要素技術をもとにダイオキシン類を含む前記有害物質を高度にかつ合理的に処理する方法を探索した結果、焼却炉排ガスの冷却条件を適正にし、水酸化マグネシウムと活性炭粉末とを含む洗浄液を使用することにより、ダイオキシン類を含む前記有害物質を総合的に除去処理する本発明に至った。
【手続補正書】
【提出日】平成17年8月31日(2005.8.31)
【手続補正１】
【補正対象書類名】明細書
【補正対象項目名】００１６
【補正方法】変更
【補正の内容】
【００１６】
この発明において、絞りローラーの両端部に周方向の溝部をそれぞれ少なくとも１本設けた構成とするのは、絞りローラーの構造上、その両端部は押圧力が作用し難く絞り効率が悪いためであり、ここに所要幅、深さの溝部を周方向に単数又は複数設けることにより液分は溝部に入り回転とともに排出され、液濡れが低減される。ローラーの押圧力や回転数、液の種類に応じて端面よりの液濡れ部分幅を、スリットの幅、深さ、本数、間隔を適宜選定して制御できるが、例えば、ローラー外径が７０〜１３０ｍｍの場合、スリット幅は０．１ｍｍ程度、深さは５〜１５ｍｍで、５ｍｍ程度の間隔で配置するのが好ましい。
【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】
薬袋に注射処方箋のアンプルに関する情報を印字して送り出す薬袋供給ユニットと、注射処方箋に従って収集されたアンプルを前記薬袋供給ユニットから受け取った薬袋に送り込み、その薬袋をバケットに払い出す袋詰めユニットとから成るアンプル袋詰め装置において、
前記袋詰めユニットは、薬袋を保持するベッドと、このベッド上で薬袋を開口させる開口手段と、その開口から薬袋内にアンプルを流入させるシュートとを備え、前記ベッドが、少なくともアンプル投入位置と、薬袋払出位置との間で揺動するようにしたことを特徴とするアンプル袋詰め装置。
【請求項２】
薬袋に注射処方箋のアンプルに関する情報を印字して送り出す薬袋供給ユニットと、注射処方箋に従って収集されたアンプルを前記薬袋供給ユニットから受け取った薬袋に送り込み、その薬袋をバケットに払い出す袋詰めユニットとから成るアンプル袋詰め装置において、
前記袋詰めユニットは、薬袋を保持するベッドと、このベッド上で薬袋を開口させる開口手段と、その開口から薬袋内にアンプルを流入させるシュートとを備え、前記ベッドが、少なくとも薬袋受取位置と、アンプル投入位置との間で揺動するようにしたことを特徴とするアンプル袋詰め装置。
【請求項３】
薬袋に注射処方箋のアンプルに関する情報を印字して送り出す薬袋供給ユニットと、注射処方箋に従って収集されたアンプルを前記薬袋供給ユニットから受け取った薬袋に送り込み、その薬袋をバケットに払い出す袋詰めユニットとから成るアンプル袋詰め装置において、
前記袋詰めユニットは、薬袋を保持するベッドと、このベッド上で薬袋を開口させる開口手段と、その開口から薬袋内にアンプルを流入させるシュートとを備え、前記ベッドが、少なくとも薬袋受取位置と、薬袋払出位置との間で揺動するようにしたことを特徴とするアンプル袋詰め装置。
【請求項４】
薬袋に注射処方箋のアンプルに関する情報を印字して送り出す薬袋供給ユニットと、注射処方箋に従って収集されたアンプルを前記薬袋供給ユニットから受け取った薬袋に送り込み、その薬袋をバケットに払い出す袋詰めユニットとから成るアンプル袋詰め装置において、
前記袋詰めユニットは、薬袋を保持するベッドと、このベッド上で薬袋を開口させる開口手段と、その開口から薬袋内にアンプルを流入させるシュートとを備え、前記ベッドが、薬袋受取位置と、アンプル投入位置と、薬袋払出位置との間で揺動するようにしたことを特徴とするアンプル袋詰め装置。
【請求項５】
前記シュートに振動装置を設けたことを特徴とする請求項１乃至４に記載のアンプル袋詰め装置。
【請求項６】
前記開口手段が、薬袋を両側から吸引して開口させる一次開口手段と、その開口に空気を吹き込んで袋内容積をさらに拡大させる２次開口手段とから成ることを特徴とする請求項１乃至５に記載のアンプル袋詰め装置。
【請求項７】
薬袋に注射処方箋のアンプルに関する情報を印字して送り出す薬袋供給ユニットと、注射処方箋に従って収集されたアンプルを前記薬袋供給ユニットから受け取った薬袋に送り込み、その薬袋をバケットに払い出す袋詰めユニットとから成るアンプル袋詰め装置において、
前記薬袋供給ユニットに、薬袋に輸液ボトルへの係合孔を穿設する穿孔装置を設けたことを特徴とするアンプル袋詰め装置。
【請求項８】
前記穿孔装置を、前記係合孔の開口予定線に沿ってミシン目を形成するカッタと、このカッタに相対する受台と、薬袋を前記受台との間で押圧保持しつつ前記カッタを薬袋へ切り込ませる押圧機構とから構成したことを特徴とする請求項７に記載のアンプル袋詰め装置。
【請求項９】
前記カッタをなす各刃の刃先を傾斜させ、前記押圧機構の押圧動作に伴い、各刃の刃先が薬袋に点接触し、その接触点が移動しつつミシン目の各切目が形成されるようにしたことを特徴とする請求項８に記載のアンプル袋詰め装置。
【手続補正書】
【提出日】平成17年8月22日(2005.8.22)
【手続補正１】
【補正対象書類名】明細書
【補正対象項目名】００３８
【補正方法】変更
【補正の内容】
【００３８】
なお、ステップＳ１において、チルト用緩起動判定部４４が開操作でないと判定した場合にはステップＳ１５に進む。ステップＳ１５において、チルト用緩起動判定部４４は開きスイッチ３６と閉じスイッチ３７との関係に基づいて「開操作を行っていたか」を判定する。このステップＳ１５は開操作を途中で中止する場合である。
【手続補正書】
【提出日】平成17年8月26日(2005.8.26)
【手続補正１】
【補正対象書類名】明細書
【補正対象項目名】発明の名称
【補正方法】変更
【補正の内容】
【発明の名称】磁気共鳴イメージング装置
【手続補正２】
【補正対象書類名】明細書
【補正対象項目名】特許請求の範囲
【補正方法】変更
【補正の内容】
【特許請求の範囲】
【請求項１】
被検体を構成する原子核スピンを励起する高周波パルスを印加する送信系と、前記原子核スピンを位相エンコードする傾斜磁場を印加する傾斜磁場発生系と、前記被検体の特定の領域からの信号を検出する検出系と、前記送信系、傾斜磁場発生系および検出系を制御する制御系とを備え、被検体の特定の領域からの信号を抑制するためにその領域を選択して励起するプリサチュレーション用高周波パルスを印加するステップと、被検体の画像化すべき領域の原子核スピンを選択的に励起する高周波パルスを印加するステップと、前記原子核スピンを位相エンコードする傾斜磁場を印加するステップと、前記被検体の原子核から生じる核磁気共鳴信号を計測するステップとを前記位相エンコード傾斜磁場の大きさを変化させながら繰り返し、前記画像化すべき領域の画像を再構成する磁気共鳴イメージング装置において、
前記制御系は、前記プリサチュレーションによって励起された特定の領域からの信号による偽像が前記画像化すべき領域の画像に重畳するのを防止するように前記プリサチュレーション用高周波パルスの印加位相をその印加毎に制御することを特徴とする磁気共鳴イメージング装置。
【請求項２】
前記プリサチュレーション用高周波パルスの印加位相の制御は、第ｉ位相エンコードおよび第(i+1)位相エンコードにおいて計測された核磁気共鳴信号のうち、前記画像化すべき領域からの信号S1(i)、S1(i+1)の信号間位相差をφ1(i)、前記特定の領域からの信号S2(i)、S2(i+1)の信号間位相差をφ2(i)としたとき、
φ1(i)−φ2(i)＝φ1(i+1)−φ2(i+1)＋π
の関係を保つように行うことを特徴とする請求項１記載の磁気共鳴イメージング装置。
【請求項３】
前記プリサチュレーション用高周波パルスの印加位相の制御は、第ｉ位相エンコードおよび第(i+1)位相エンコードにおいて計測された核磁気共鳴信号のうち、前記画像化すべき領域からの信号S1(i)、S1(i+1)の信号間位相差をφ1(i)、前記特定の領域からの信号S2(i)、S2(i+1)の信号間位相差をφ2(i)としたとき、
φ1(i)−φ2(i)＝φrnd(i)
（式中、φrnd(i)はｉに対してランダムな値且つ0≦φrnd(i)<2πを満たす角度を表わす）
の関係を保つように行うことを特徴とする請求項１記載の磁気共鳴イメージング装置。
【請求項４】
前記プリサチュレーション用高周波パルスの印加位相の制御は、前記各ステップの繰り返しのｋ番目および(k+1)番目の繰り返しで計測された核磁気共鳴信号のうち、前記特定の領域からの信号S2(k)、S2(k+1)の信号間位相差をφ2(k)としたとき、
φ2(k)＝φ2(k-1)＋ｋ×Δφ
（式中、Δφは任意の角度を表わす）
の関係を保つように行うことを特徴とする請求項１記載の磁気共鳴イメージング装置。
【手続補正書】
【提出日】平成17年4月28日(2005.4.28)
【手続補正１】
【補正対象書類名】明細書
【補正対象項目名】特許請求の範囲
【補正方法】変更
【補正の内容】
【特許請求の範囲】
【請求項１】
中空体と、該中空体の周囲に配置されたＦＲＰ層とを有するＦＲＰ構造体であって、前記中空体の周囲に樹脂拡散手段が設けられており、少なくとも前記ＦＲＰ層の強化繊維基材と前記周囲に樹脂拡散手段が設けられた中空体が樹脂により一体化されていることを特徴とするＦＲＰ構造体。
【請求項２】
前記樹脂拡散手段が網状体からなる、請求項１のＦＲＰ構造体。
【請求項３】
前記中空体がプラスチックまたはゴムまたは薄肉金属から構成されている、請求項１または２に記載のＦＲＰ構造体。
【請求項４】
前記中空体内に発泡材が充填されている、請求項１ないし３のいずれかに記載のＦＲＰ構造体。
【請求項５】
中空体の少なくとも一面に、樹脂拡散手段と強化繊維基材とを配置し、全体をバッグ基材で覆った後バッグ基材で覆われた内部を真空状態にし、樹脂を注入して前記樹脂拡散手段を介して樹脂を前記強化繊維基材の面方向に拡散させつつ厚み方向に含浸することにより一発成形することを特徴とする、ＦＲＰ構造体の製造方法。
【請求項６】
前記中空体を可撓性の材料から構成し、内圧を加える、請求項５のＦＲＰ構造体の製造方法。
【請求項７】
前記樹脂拡散手段を周囲に配置した前記中空体と強化繊維基材との組立体を型内に形成するとともに、その組立体の少なくとも一面上に剛性板を設け、全体をバッグ基材で覆った後バッグ基材で覆われた内部を真空状態にし、樹脂を注入して前記樹脂拡散手段を介して樹脂を前記強化繊維基材の面方向に拡散させつつ厚み方向に含浸することにより一発成形し、成形後にバッグ基材および剛性板を取り除いて成形されたＦＲＰ中空構造体を型から取り出す、請求項５または６のＦＲＰ構造体の製造方法。
【請求項８】
前記中空体内に発泡液を注入し、中空体内で発泡させる、請求項５ないし７のいずれかに記載のＦＲＰ構造体の製造方法。
【手続補正２】
【補正対象書類名】明細書
【補正対象項目名】０００７
【補正方法】変更
【補正の内容】
【０００７】
【課題を解決するための手段】
上記課題を解決するために、本発明のＦＲＰ構造体は、基本的には中空体と、該中空体の周囲に配置されたＦＲＰ層とを有するＦＲＰ構造体であって、前記ＦＲＰ層が、強化繊維基材に樹脂が実質的に同時に含浸され実質的に同時に硬化される一発成形により成形されたものからなる。
【手続補正３】
【補正対象書類名】明細書
【補正対象項目名】０００８
【補正方法】変更
【補正の内容】
【０００８】
本発明に係るＦＲＰ構造体は、中空体と、該中空体の周囲に配置されたＦＲＰ層とを有するＦＲＰ構造体であって、前記中空体の周囲に樹脂拡散手段が設けられており、少なくとも前記ＦＲＰ層の強化繊維基材と前記周囲に樹脂拡散手段が設けられた中空体が樹脂により一体化されていることを特徴とするものからなる。この樹脂拡散手段は、たとえば、網状体などの媒体、あるいは、中空体の表面に設けられた溝から構成できる。
【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】  コンクリート穿孔用ドリルが接続される穿孔機能部と、前記穿孔機能部を支持するドリルスタンド本体と、を備えたドリルスタンドであって、
前記穿孔機能部は、穿孔対象面に押し付けられるベース板と、前記ベース板に設けられ予め前記コンクリート穿孔用ドリルにより前記穿孔対象面に穿孔した自己穿孔孔に差込み固定されるアンカーと、前記コンクリート穿孔用ドリルのドリルビットが接続される接続部と、前記ベース板に設けられ前記接続部の進退をガイドする支柱と、を有することを特徴とするドリルスタンド。
【請求項２】  前記ドリルスタンド本体に対し前記穿孔機能部は、穿孔方向を変えることができるように連結されていることを特徴する請求項１に記載のドリルスタンド。
【請求項３】  前記ベース板は、接続した前記ドリルビットを回転自在にガイドする固定ガイドを、更に有していることを特徴とする請求項１または２に記載のドリルスタンド。
【請求項４】  前記アンカーと前記固定ガイドとの離間寸法が、前記穿孔対象面に穿孔する複数の穿孔穴の相互の間隔と同一であることを特徴とする請求項１ないし３のいずれかに記載のドリルスタンド。
【請求項５】  前記ベース板は、前記穿孔対象面側の面に当該穿孔対象面に密着する圧接面シールを、更に有していることを特徴とする請求項１ないし４のいずれかに記載のドリルスタンド。
【手続補正書】
【提出日】平成16年6月14日(2004.6.14)
【手続補正１】
【補正対象書類名】明細書
【補正対象項目名】特許請求の範囲
【補正方法】変更
【補正の内容】
【特許請求の範囲】
【請求項１】
粘性土にセメントおよび減水剤を添加するセメント添加粘性土の流動化方法において、（Ａ）オキシカルボン酸またはその塩と、（Ｂ）アクリル酸、メタクリル酸、ビニル酢酸およびクロトン酸から選ばれた１種または２種以上の単量体より生成された単一重合体、共重合体、またはそれらの塩であり、重量平均分子量が１，０００〜５００，０００であるものとの混合物からなるセメント添加粘性土用減水剤とセメントを同時に固化処理用粘性土に添加して混練することを特徴とするセメント添加粘性土の流動化方法。
【請求項２】
粘性土にセメントおよび減水剤を添加し、これに水を加えるかまたは加えずして混練し、スラリー状にして管路輸送するセメント添加粘性土の輸送方法において（Ａ）オキシカルボン酸またはその塩と、（Ｂ）アクリル酸、メタクリル酸、ビニル酢酸およびクロトン酸から選ばれた１種または２種以上の単量体より生成された単一重合体、共重合体、またはそれらの塩であり、重量平均分子量が１，０００〜５００，０００であるものとの混合物からなるセメント添加粘性土用減水剤とセメントを同時に固化処理用粘性土に添加して混練することを特徴とするセメント添加粘性土の輸送方法。
【請求項３】
固化処理用の粘性土が浚渫や掘削により生じた軟弱粘土である請求項１または２記載の方法。
【請求項４】
（Ａ）と（Ｂ）の混合物からなるセメント添加粘性土用減水剤とセメントの各全量を同時に固化処理用粘性土に添加、混練する請求項１から３までのいずれか１項記載の方法。
【請求項５】
セメント添加粘性土用減水剤に硬化促進剤を併用する請求項１から４までのいずれか１項記載の方法。
【請求項６】
セメント添加粘性土用減水剤が、（Ａ）グルコン酸ソーダと（Ｂ）ポリアクリル酸ソーダとの組合わせである請求項１から５までのいずれか１項記載の方法。
【請求項７】
セメントを添加した固化処理用粘性土にセメント添加粘性土用減水剤の全量を添加して混練する請求項１から６までのいずれか１項記載の方法。
【請求項８】
セメント添加粘性土用減水剤の全量を固化処理用粘性土に添加した後、セメントを添加して混練する請求項１から６までのいずれか１項記載の方法。
【請求項９】
請求項１から８までのいずれか１項記載のフローロスを生じさせない改善効果をもつセメント添加粘性土用減水剤。
【手続補正書】
【提出日】平成17年6月23日(2005.6.23)
【手続補正１】
【補正対象書類名】明細書
【補正対象項目名】符号の説明
【補正方法】変更
【補正の内容】
【符号の説明】
１…地中構造物、２…掘削溝、３…人孔、４…ガイドウォール、１０…管体、１１…下部Ｈ型鋼、１２…上部溝型鋼、１３…ワイヤー、１４…カップラー、１５…仮蓋、１６…注水エア抜き、１７…紐状部材、１８…棒材、１８Ａ…目盛り、２０…ゲビン棒、２２…架台、２３…チェーンブロック、３０…仕切壁、３１…先行作業領域、３２…後行作業領域、４０…フック部材、４３…フック操作紐、４６…注入管、Ｂ…安定液、Ｇ…地盤。
【手続補正書】
【提出日】平成17年7月27日(2005.7.27)
【手続補正１】
【補正対象書類名】明細書
【補正対象項目名】００１５
【補正方法】変更
【補正の内容】
【００１５】
上記第二カーテンウォール６の場合には、上記基部１９ａの屋外側面の水平方向中間部が、上記各側部２０ａ、２０ａの内側面の延長線部分だけでなく、中央部を含む中間部全体が、屋内側に凹んだ凹入部２４ａとなっている。そして、この凹入部２４ａの屋外側面を、ミラーガラスの如き不透明の装飾用ガラスパネル１０により覆っている。この装飾用ガラスパネル１０の四辺のうち、上辺は図１７に示す様に上記基部１９ａの上縁部に包埋固定した上枠２６により、下辺は同図及び図４の上部に示す様に、上記採光用ガラスパネル１３の上辺を支持する為の上枠１４により、それぞれ支持している。これに対して、上記装飾用ガラスパネル１０の左右両辺は、上記凹入部２４ａの左右両内側面に形成した凹溝部２７（図７参照）に支持している。
【手続補正２】
【補正対象書類名】明細書
【補正対象項目名】００１７
【補正方法】変更
【補正の内容】
【００１７】
上述の様にして上記各側部２０ａ、２０ａの内側面に形成した上記各凹溝部２７には、前記基部１９ａの水平方向中間部の屋外側面を覆う為の、前記不透明な装飾用ガラスパネル１０の左右両側縁部を位置させている。そして、図７に示す様に、それぞれ硬質ゴム等の弾性材製の抑え部材２８ａ、２８ｂにより、上記装飾用ガラスパネル１０の左右両側縁部の両面を抑え付けている。尚、図示の例では、上記両抑え部材２８ａ、２８ｂのうち、上記装飾用ガラスパネル１０の屋内側面を抑え付ける抑え部材２８ａの基端部を、上記基部１９ａに形成した係止凹溝２９に係止している。これに対して、上記装飾用ガラスパネル１０の屋外側面を抑え付ける抑え部材２８ｂの基端部を、前記ガイドレール２５の一部に、接着等により固定している。
【手続補正書】
【提出日】平成17年7月27日(2005.7.27)
【手続補正１】
【補正対象書類名】明細書
【補正対象項目名】００１２
【補正方法】変更
【補正の内容】
【００１２】
上記第二カーテンウォール６の場合には、上記基部１９ａの屋外側面の水平方向中間部全体が、屋内側に凹んだ凹入部２４ａとなっている。そして、上記両側部２０ａ、２０ａ及び凹入部２４ａの互いに対向する１対の内側面の上下方向に、それぞれ上記第二カーテンウォール６の上端面から下端面にまで達するガイドレール２５、２５を固定している。これら各ガイドレール２５、２５は、上下に隣接する第一〜第三の各カーテンウォール５〜７同士で互いに連続し、清掃等に使用するゴンドラの昇降を案内する。
【手続補正２】
【補正対象書類名】明細書
【補正対象項目名】００１５
【補正方法】変更
【補正の内容】
【００１５】
上述の様にして上記各側部２０ａ、２０ａの内側面に形成した上記各凹溝部２７には、前記基部１９ａの水平方向中間部の屋外側面を覆う為の、前記不透明な装飾用ガラスパネル１０の左右両側縁部を位置させている。そして、図７に示す様に、それぞれ硬質ゴム等の弾性材製の抑え部材２８ａ、２８ｂにより、上記装飾用ガラスパネル１０の左右両側縁部の両面を抑え付けている。尚、図示の例では、上記両抑え部材２８ａ、２８ｂのうち、上記装飾用ガラスパネル１０の屋内側面を抑え付ける抑え部材２８ａの基端部を、上記基部１９ａに形成した係止凹溝２９に係止している。これに対して、上記装飾用ガラスパネル１０の屋外側面を抑え付ける抑え部材２８ｂの基端部を、前記ガイドレール２５の一部に、接着等により固定している。
【手続補正書】
【提出日】平成17年8月19日(2005.8.19)
【手続補正１】
【補正対象書類名】明細書
【補正対象項目名】００２３
【補正方法】変更
【補正の内容】
【００２３】
次に、図２〜６は、請求項２に対応する、本発明の実施の形態の第２例を示している。本例の特徴も、保持器６ａに付着したグリースを外輪軌道３（図１、８、１１、１２参照）に対し効率良く導く為の構造にある。その他の部分の構成及び作用は、前述の図８〜１２に示した従来構造と同様であるから、同等部分に関する図示並びに説明は省略若しくは簡略にし、以下、本例の特徴部分を中心に説明する。
【手続補正書】
【提出日】平成17年4月11日(2005.4.11)
【手続補正１】
【補正対象書類名】明細書
【補正対象項目名】０００２
【補正方法】変更
【補正の内容】
【０００２】
【従来の技術】
自動車用変速機を構成する変速機の一種としてトロイダル型無段変速機が知られ、一部で実施されている。この様な既に一部で実施されているトロイダル型無段変速機は、入力部から出力部への動力の伝達を互いに並列に設けられた２系統に分けて行なう、所謂ダブルキャビティ型と呼ばれているものである。この様なトロイダル型無段変速機は従来から、特開平２−２８３９４９号公報、同８−４８６９号公報、同８−６１４５３号公報等、多数の公報に記載されて周知であるが、その基本構造に就いて、図７により説明する。
【手続補正２】
【補正対象書類名】図面
【補正対象項目名】図３
【補正方法】変更
【補正の内容】
【図３】
2004084710.tif 000001
【手続補正書】
【提出日】平成17年4月11日(2005.4.11)
【手続補正１】
【補正対象書類名】明細書
【補正対象項目名】請求項１
【補正方法】変更
【補正の内容】
【請求項１】
天板部の幅方向両端にそれぞれの基端縁を連続させた１対の側壁部を有し、これら両側壁部の先端同士の間に存在する開口部を塞ぎ部材により密閉自在としたケーシングと、このケーシング内に回転自在に支持された回転軸と、それぞれが断面円弧形である互いの軸方向片側面同士を対向させた状態でこの回転軸に、この回転軸と同期した回転を自在として支持された１対の外側ディスクと、この回転軸の中間部周囲に、断面円弧形である軸方向両側面を上記各外側ディスクの軸方向片側面に対向させた状態で、上記回転軸に対する相対回転を自在に支持された内側ディスクと、軸方向に関してこの内側ディスクの軸方向両側面と上記各外側ディスクの軸方向片側面との間位置にそれぞれ複数個ずつ、上記回転軸に対し捩れの位置にある枢軸を中心とする揺動変位を自在に設けられた支持部材と、これら各支持部材の両端部に設けられた上記各枢軸を支持する為の１対の支持板と、上記各支持部材に回転自在に支持され、球状凸面としたそれぞれの周面を、上記内側ディスクの軸方向両側面と各外側ディスクの軸方向片側面とに当接させたパワーローラと、上記各支持部材を上記枢軸の軸方向に変位させる為の複数のアクチュエータと、これら各アクチュエータの本体部分を収納したアクチュエータボディーとを備えたトロイダル型無段変速機に於いて、上記１対の支持板のうちで上記アクチュエータボディーを設置した下側に配置した支持板にのみ、上記各支持部材の端部に向け突出して上記各枢軸を中心とするこれら各支持部材の傾斜角度を制限する突片を設けた事を特徴とするトロイダル型無段変速機。
【手続補正２】
【補正対象書類名】明細書
【補正対象項目名】０００２
【補正方法】変更
【補正の内容】
【０００２】
【従来の技術】
自動車用自動変速装置を構成する変速機の一種としてトロイダル型無段変速機が知られ、一部で実施されている。この様な既に一部で実施されているトロイダル型無段変速機は、入力部から出力部への動力の伝達を互いに並列に設けられた２系統に分けて行なう、所謂ダブルキャビティ型と呼ばれているものである。この様なトロイダル型無段変速機は従来から、特開平２−２８３９４９号公報、同８−４８６９号公報、同８−６１４５３号公報等、多数の公報に記載されて周知であるが、その基本構造に就いて、図９により説明する。
【手続補正３】
【補正対象書類名】明細書
【補正対象項目名】００１８
【補正方法】変更
【補正の内容】
【００１８】
【課題を解決するための手段】
本発明のトロイダル型無段変速機は、前述した従来から知られているトロイダル型無段変速機と同様に、ケーシングと、回転軸と、１対の外側ディスクと、内側ディスクと、複数の支持部材と、１対の支持板と、複数のパワーローラと、複数のアクチュエータと、アクチュエータボディーとを備える。
このうちのケーシングは、天板部の幅方向両端にそれぞれの基端縁を連続させた１対の側壁部を有し、これら両側壁部の先端同士の間に存在する開口部を、塞ぎ部材により密閉自在としている。
又、上記回転軸は、上記ケーシング内に回転自在に支持されている。
又、上記各外側ディスクは、それぞれが断面円弧形である互いの軸方向片側面同士を対向させた状態で上記回転軸に、この回転軸と同期した回転を自在として支持されている。
又、上記内側ディスクは、上記回転軸の中間部周囲に、断面円弧形である軸方向両側面を上記各外側ディスクの軸方向片側面に対向させた状態で、上記回転軸に対する相対回転を自在に支持されている。
又、上記各支持部材は、軸方向に関して上記内側ディスクの軸方向両側面と上記各外側ディスクの軸方向片側面との間位置にそれぞれ複数個ずつ、上記回転軸に対し捩れの位置にある枢軸を中心とする揺動変位を自在に設けられている。
又、上記各支持板は、上記各支持部材の両端部に設けられた上記各枢軸を支持する為のものである。
又、上記各パワーローラは、上記各支持部材に回転自在に支持され、球状凸面としたそれぞれの周面を、上記内側ディスクの軸方向両側面と各外側ディスクの軸方向片側面とに当接させている。
又、上記各アクチュエータは、上記各支持部材を上記枢軸の軸方向に変位させる為のものである。
更に、上記アクチュエータボディーは、上記各アクチュエータの本体部分を収納している。
特に、本発明のトロイダル型無段変速機に於いては、上記１対の支持板のうちで上記アクチュエータボディーを設置した下側に配置した支持板にのみ、上記各支持部材の端部に向け突出して上記各枢軸を中心とするこれら各支持部材の傾斜角度を制限する突片を設けている。
【手続補正４】
【補正対象書類名】図面
【補正対象項目名】図３
【補正方法】変更
【補正の内容】
【図３】
2004084711.tif 000001
【手続補正書】
【提出日】平成17年4月13日(2005.4.13)
【手続補正１】
【補正対象書類名】明細書
【補正対象項目名】０００２
【補正方法】変更
【補正の内容】
【０００２】
【従来の技術】
自動車用変速機を構成する変速機の一種としてトロイダル型無段変速機が知られ、一部で実施されている。この様な既に一部で実施されているトロイダル型無段変速機は、入力部から出力部への動力の伝達を互いに並列に設けられた２系統に分けて行なう、所謂ダブルキャビティ型と呼ばれているものである。この様なトロイダル型無段変速機は従来から、特開平２−２８３９４９号公報、同８−４８６９号公報、同８−６１４５３号公報等、多数の公報に記載されて周知であるが、その基本構造に就いて、図７により説明する。
【手続補正２】
【補正対象書類名】明細書
【補正対象項目名】００１９
【補正方法】変更
【補正の内容】
【００１９】
【課題を解決するための手段】
本発明のトロイダル型無段変速機は、前述した従来から知られているトロイダル型無段変速機と同様に、ケーシングと、回転軸と、１対の外側ディスクと、内側ディスクと、複数の支持部材と、複数の支持板と、複数のパワーローラと、複数のアクチュエータと、アクチュエータボディーとを備える。
このうちの回転軸は、上記ケーシング内に回転自在に支持されている。
又、上記各外側ディスクは、それぞれが断面円弧形である互いの軸方向片側面同士を対向させた状態で上記回転軸の両端部に、この回転軸と同期した回転を自在として支持されている。
又、上記内側ディスクは、上記回転軸の中間部周囲に、断面円弧形である軸方向両側面を上記各外側ディスクの軸方向片側面に対向させた状態で、上記回転軸に対する相対回転を自在に支持されており、一体の、若しくは１対の素子を結合して成る。
又、上記各支持部材は、軸方向に関して上記内側ディスクの軸方向両側面と上記各外側ディスクの軸方向片側面との間位置にそれぞれ複数個ずつ、上記回転軸に対し捩れの位置にある枢軸を中心とする揺動変位を自在に設けられている。
又、上記各支持板は、上記各支持部材の両端部に設けられた上記各枢軸を支持する為のものである。
又、上記各パワーローラは、上記各支持部材に回転自在に支持され、球状凸面としたそれぞれの周面を、上記内側ディスクの軸方向両側面と各外側ディスクの軸方向片側面とに当接させている。
又、上記各アクチュエータは、上記各支持部材を上記枢軸の軸方向に変位させる為のもので、油圧式である。
又、上記アクチュエータボディーは、上記各アクチュエータの本体部分を収納したものである。
特に、本発明のトロイダル型無段変速機に於いては、上記内側ディスクの軸方向両側面と上記各外側ディスクの軸方向片側面との間で上記アクチュエータボディーに、１対の支柱の一端を結合固定している。これら各支柱は、それぞれの中間部に支持環部を有するもので、一端を上記アクチュエータボディーに結合固定した状態で、上記支持環部に上記回転軸を挿通している。そして、これら両支柱の支持環部に上記内側ディスクの軸方向両端部を回転自在に支持し、更に、これら両支柱の両端部近傍部分に上記各支持板を支持している。
【手続補正３】
【補正対象書類名】図面
【補正対象項目名】図３
【補正方法】変更
【補正の内容】
【図３】
2004084712.tif 000001
【手続補正書】
【提出日】平成17年8月26日(2005.8.26)
【手続補正１】
【補正対象書類名】明細書
【補正対象項目名】特許請求の範囲
【補正方法】変更
【補正の内容】
【特許請求の範囲】
【請求項１】 タービン車室とコンプレッサ車室との間に位置する軸受車室に冷却ジャケットが設けてあるターボチャージャにおいて、上記冷却ジャケットと上記軸受車室内のジャーナル軸受に給油するための給油通路とを連通させ、該冷却ジャケットに上記給油通路からの油を供給して、上記軸受車室を油冷するようにし、且つ上記冷却ジャケットに供給した油を回収してフィルタリングさせるようにした構成を有することを特徴とするターボチャージャ。
【請求項２】  軸受車室内のジャーナル軸受に給油するための給油通路と冷却ジャケットとの連通を、該給油通路から分岐した通路を上記冷却ジャケットの入口通路に連通させることにより行い、上記給油通路から分岐通路を通して冷却ジャケットに油を流して軸受車室を油冷するようにした請求項１記載のターボチャージャ。
【請求項３】  分岐通路の上流部にオリフィスを設けて、給油通路からオリフィスを経て分岐通路に油を流すようにした請求項２記載のターボチャージャ。
【手続補正２】
【補正対象書類名】明細書
【補正対象項目名】０００７
【補正方法】変更
【補正の内容】
【０００７】
【課題を解決するための手段】
本発明は、上記課題を解決するために、タービン車室とコンプレッサ車室との間に位置する軸受車室に冷却ジャケットが設けてあるターボチャージャにおいて、上記冷却ジャケットと上記軸受車室内のジャーナル軸受に給油するための給油通路とを連通させ、該冷却ジャケットに上記給油通路からの油を供給して、上記軸受車室を油冷するようにし、且つ上記冷却ジャケットに供給した油を回収してフィルタリングさせるようにした構成とする。
【手続補正３】
【補正対象書類名】明細書
【補正対象項目名】０００９
【補正方法】変更
【補正の内容】
【０００９】
又、軸受車室内のジャーナル軸受に給油するための給油通路と冷却ジャケットとの連通を、該給油通路から分岐した通路を上記冷却ジャケットの入口通路に連通させることにより行い、上記給油通路から分岐通路を通して冷却ジャケットに油を流して軸受車室を油冷するようにした構成とすることにより、構造を複雑化することなく油冷構造を得ることができる。
【手続補正４】
【補正対象書類名】明細書
【補正対象項目名】００１０
【補正方法】変更
【補正の内容】
【００１０】
更に、分岐通路の上流部にオリフィスを設けて、給油通路からオリフィスを経て分岐通路に油を流すようにした構成とすることにより、ジャーナル軸受への油の供給に支障を来すことなく、冷却ジャケットに油を安定して流すことができる。
【手続補正５】
【補正対象書類名】明細書
【補正対象項目名】００２０
【補正方法】変更
【補正の内容】
【００２０】
【発明の効果】
以上述べた如く、本発明のターボチャージャによれば、次の如き優れた効果を発揮する。
(１)タービン車室とコンプレッサ車室との間に位置する軸受車室に冷却ジャケットが設けてあるターボチャージャにおいて、上記冷却ジャケットと上記軸受車室内のジャーナル軸受に給油するための給油通路とを連通させ、該冷却ジャケットに上記給油通路からの油を供給して、上記軸受車室を油冷するようにし、且つ上記冷却ジャケットに供給した油を回収してフィルタリングさせるようにした構成としてあるので、腐食の問題がなく、したがって、水上バイク等に何ら支障なく搭載して使用することができる。
(２)軸受車室内のジャーナル軸受に給油するための給油通路と冷却ジャケットとの連通を、該給油通路から分岐した通路を上記冷却ジャケットの入口通路に連通させることにより行い、上記給油通路から分岐通路を通して冷却ジャケットに油を流して軸受車室を油冷するようにした構成とすることにより、これまでのものに僅かな改良を加える程度で、構造を複雑化することなく容易に油冷構造を得ることができる。
(３)分岐通路の上流部にオリフィスを設けて、給油通路からオリフィスを経て分岐通路に油を流すようにした構成とすることにより、オリフィスのサイズを適正に設定することで、冷却ジャケットとジャーナル軸受に適正量の油を安定して供給することができる。
【手続補正書】
【提出日】平成17年7月12日(2005.7.12)
【手続補正１】
【補正対象書類名】明細書
【補正対象項目名】特許請求の範囲
【補正方法】変更
【補正の内容】
【特許請求の範囲】
【請求項１】
弁部とソレノイド励磁部とを備え、前記弁部は、弁室が形成された弁本体と、前記ソレノイド励磁部を構成する吸引子及びプランジャにより開閉作動される棒状の主弁体と、を備え、
前記弁本体には上記弁室と連通する流入ポートが形成され、且つ、前記弁室に形成された主弁座孔に連通して流出ポートが形成され、
上記プランジャを主弁体側に弾圧するバネ及び該バネを僅かに圧縮させる圧縮バネを、上記吸引子内に形成されたバネ室内に配置させたことを特徴とする可変容量型圧縮機用制御弁。
【請求項２】
上記プランジャと上記バネとの間に押棒を配置し、該押棒はバネ受けを介してバネ圧を受けるように構成すると共に、前記圧縮バネは、バネ受けとバネ室の壁面との間に配置させたことを特徴とする請求項１記載の可変容量型圧縮機用制御弁。
【手続補正２】
【補正対象書類名】明細書
【補正対象項目名】０００５
【補正方法】変更
【補正の内容】
【０００５】
【課題を解決する手段】
本発明は、上記課題を達成するために、請求項１記載の可変容量型圧縮機用制御弁は、弁部とソレノイド励磁部とを備え、前記弁部は、弁室が形成された弁本体と、前記ソレノイド励磁部を構成する吸引子及びプランジャにより開閉作動される棒状の主弁体と、を備え、前記弁本体には上記弁室と連通する流入ポートが形成され、且つ、前記弁室に形成された主弁座孔に連通して流出ポートが形成され、上記プランジャを主弁体側に弾圧するバネ及び該バネを僅かに圧縮させる圧縮バネを、上記吸引子内に形成されたバネ室内に配置させたことを特徴とする。
【手続補正３】
【補正対象書類名】明細書
【補正対象項目名】０００６
【補正方法】変更
【補正の内容】
【０００６】
また、請求項２記載の可変容量型圧縮機用制御弁は、請求項１記載の可変容量型圧縮機用制御弁において、上記プランジャと上記バネとの間に押棒を配置し、該押棒はバネ受けを介してバネ圧を受けるように構成すると共に、前記圧縮バネは、バネ受けとバネ室の壁面との間に配置させたことを特徴とする。
【手続補正４】
【補正対象書類名】明細書
【補正対象項目名】００１２
【補正方法】変更
【補正の内容】
【００１２】
また、押棒側バネ受け１６９ａとバネ室１６７ａの上底部との間には、押棒１６９と同軸状に、圧縮バネ１７７が上記バネ１７２を僅かに圧縮するように縮装されている。この圧縮バネ１７７の配置により、圧縮力（本発明の場合は、電磁力によるプランジャ１６８の下動力）に対するバネ１７２の縮み長さ、特に、初期縮み長さが正確になる。また、プランジャ１６８の上部には一体として突部１８２が形成され、プランジャ１６８の上下動にしたがって突部１８２が上下動するように構成されている。なお、符号１７３，１７４はシール用のＯ−リングである。
【手続補正５】
【補正対象書類名】明細書
【補正対象項目名】００１６
【補正方法】変更
【補正の内容】
【００１６】
以上のように本実施形態の制御弁１００は、熱負荷の大小に応じてコイル１６４により吸引子１６７を磁化させ、主弁座孔１３３を開閉させるが、制御弁の開閉動作において、冷媒圧或いは冷媒圧差の影響をなくし、制御弁の開閉動作は、ソレノイド励磁部の電磁力で行い、例えば、圧縮機のおける吸込圧力（Ｐｓ）、クランク室圧力（Ｐｃ）及び吐出圧力（Ｐｄ）は、制御弁の制御コンピュータによるソレノイド部における電磁制御（開閉制御）にパラメーターとして反映させることで弁の開閉動作を正確に行わせることができる。
また、圧縮バネ１７７の作用により、磁力に対するバネ１７２の伸縮長さが正確となるために、弁部１２０の開閉を正確に行わせ、冷凍サイクルにおける冷媒容量を正確にコントロールすることができる。
【手続補正６】
【補正対象書類名】明細書
【補正対象項目名】００１９
【補正方法】変更
【補正の内容】
【００１９】
【発明の効果】
以上の説明から理解されるように、本発明に係る可変容量型圧縮機用制御弁は、棒状体の弁体の上下両端に冷媒ガスの吸入圧力を作用させてバランスした構成としたので、冷媒ガスの圧力変化に基く弁体の作動の悪影響をなくして弁体の開閉精度を向上させることができる。
また、圧縮バネの作用により、磁力に対するバネの伸縮長さが正確となるために、弁部の開閉精度を正確に行わせ、可変容量型圧縮機の作動を正確にコントロールすることができる。
【手続補正７】
【補正対象書類名】明細書
【補正対象項目名】符号の説明
【補正方法】変更
【補正の内容】
【符号の説明】
１００・・（可変容量型圧縮機用）制御弁
１２０・・弁部        １２１・・弁本体
１２１ａ，１２１ｂ，１２１ｃ・・Ｏリング    １２１ｄ・・均圧孔
１２１ｅ・・フランジ部
１２２・・主弁体      １２２ａ・・バネ受部      １２２ｂ・・弁先
１２２ｃ・・当接部    １２３・・・弁室          １２５・・・弁孔
１２６・・流入ポート  １２８・・流出ポート      １２９・・・上部孔
１３０・・主弁座体    １３１・・弁受け部  １３２・・バネ受け部
１３３・・主弁座孔    １３５・・主弁体支持バネ
１６０・・ソレノイド励磁部          １６１・・スリーブ
１６２・・ソレノイドハウジング      １６２ａ・・ハウジング取付部
１６４・・コイル  １６５・・ボビン  １６７・・吸引子  １６７ａ・・バネ室
１６８・・プランジャ  １６８ａ・・均圧孔        １６８ｂ・・押棒孔
１６９・・押棒    １６９ａ・・押棒側バネ受け    １６９ｂ・・フランジ部
１６９ｃ・・連通孔      １７０・・調整ねじ      １７０ａ・・突出部
１７１・・調整側バネ受け      １７２・・バネ
１７３，１７４・・Ｏ−リング  １７５・・ドライバ部    １７６・・プレート
１７７・・圧縮バネ            １８０・・プランジャ室  １８２・・突部
１９０・・リード線
【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
船体を推進するためのエンジンと、前記エンジンを潤滑するオイルを溜めるオイルタンクと、前記エンジンのブローバイガスからオイルを分離するセパレータと、前記分離されたオイルを前記オイルタンクへ戻す戻し油路とを備え、
前記戻し油路の前記オイルタンク内への開口の近傍に該オイルタンク内のオイルの所定方向から該開口への移動に対して障害となる障害部材が配設された、小型走行船。
【請求項２】
前記所定方向が前記船体の前方向又は後方向である、請求項１記載の小型走行船。
【請求項３】
前記オイルタンクの長手方向が前記船体の前後方向に略一致している、請求項１又は２記載の小型走行船。
【請求項４】
前記エンジンが、多気筒エンジンでかつクランク軸の軸方向が前記船体の長手方向に略一致するように配設され、
前記オイルタンクが前記エンジンの下方に配設された、請求項１又は２記載の小型走行船。
【請求項５】
前記戻し油路が前記オイルタンクの後部に開口し、前記障害部材が該開口部の前方に配設された、請求項１乃至４のいずれかに記載の小型走行船。
【請求項６】
前記障害部材が壁状である、請求項１乃至５のいずれかに記載の小型走行船。
【請求項７】
船体を推進するためのエンジンと、前記エンジンを潤滑するオイルを溜めるオイルタンクと、前記エンジンのブローバイガスからオイルを分離するセパレータと、前記分離されたオイルを前記オイルタンクへ戻す戻し油路とを備え、
前記戻し油路の前記オイルタンク内への開口方向が前記船体の前後方向に略直交する、小型走行船。
【請求項８】
前記戻し油路が、前記船体の前後方向に延びるように前記オイルタンク内に導入され、そこから略直角に曲がって該オイルタンク内に開口するように形成された、請求項７記載の小型走行船。
【手続補正２】
【補正対象書類名】明細書
【補正対象項目名】００１４
【補正方法】変更
【補正の内容】
【００１４】
また、前記油路が前記オイルタンクの後部に開口し、前記障害部材が該開口部の前方に配設されていてもよい。かかる構成とすると、戻し油路への逆流を低減する構成を容易に実現できる。
【手続補正３】
【補正対象書類名】明細書
【補正対象項目名】００１８
【補正方法】変更
【補正の内容】
【００１８】
また、前記戻し油路が、前記船体の前後方向に延びるように前記オイルタンク内に導入され、そこから略直角に曲がって該オイルタンク内に開口するように形成されていてもよい。かかる構成とすると、オイルタンクに戻し油路を容易に接続することができる。
【手続補正４】
【補正対象書類名】明細書
【補正対象項目名】００３０
【補正方法】変更
【補正の内容】
【００３０】
オイルタンク３４は、エンジンＥのクランクケース３３の略下半分をオイルケース３８で囲うようにして形成されている。従って、オイルタンク３４は、クランク室Ｃｒの下方に、長手方向がクランク軸２６の方向と一致するように形成されている。また、オイルタンク３４は、クランクケース３３の下半部３３ａによってクランク室Ｃｒと隔てられ、互いに独立した閉空間を形成している。本実施の形態では、オイルタンク３４は、ほぼクランク室Ｃｒと容積的に同じ大きさを有し、また、オイルタンク３４の大部分が、エンジンＥの下方に位置している。また、本実施の形態では、オイルタンク３４の底面は、図４に示すように、前端から後端に向かって高くなるように傾斜している。また、オイルタンク３４には、オイルの前後方向における移動を緩慢にするために、その内部をオイルが前後に流動可能に維持しつつ仕切る仕切り壁（図６に符号４３，４４で示す）が設けられている。また、図３に示すように、エンジンＥの所要の部分を潤滑したオイルＯｉは、クランク室Ｃｒの底部に溜まるが、クランク室Ｃｒの底部にはスカベンジポンプＳｐが配設されており、このスカベンジポンプＳｐによってその溜まったオイルＯｉがオイルタンク３４に戻される。
【手続補正５】
【補正対象書類名】明細書
【補正対象項目名】００３８
【補正方法】変更
【補正の内容】
【００３８】
一方、小型滑走艇は、加速時には前部が持ち上がる。これにより、オイルタンク３４では、その後部の油面が高くなる。また、その際にオイルがその慣性によって後方に移動しようとするが、本実施の形態では、オイル戻し管Ｐｏの開口４１ｃの前方に障壁４３が配設されているため、後方に移動しようとするオイルが障壁４３によって遮られる。そのため、前記開口４１ｃからオイル戻し管Ｐｏにｏオイルが逆流し難くなる。さらに、オイル戻し管Ｐｏのオイルタンク３４内への開口方向、すなわち縦孔４１ｂの軸方向が鉛直方向を向いているので、より逆流し難くなる。
【手続補正６】
【補正対象書類名】明細書
【補正対象項目名】００３９
【補正方法】変更
【補正の内容】
【００３９】
なお、上記実施の形態では、ドライサンプ・タイプの潤滑方式に本発明を適用する場合を説明したが、ウエットサンプ・タイプの潤滑方式にも本発明を同様に適用することができる。